(57)【要約】【課題】臨場感がある良質のステレオ音声を出力可能とするとともに、受話用のレシーバと各種の音声出力用のスピーカとの共用を可能とし、かつ、開閉状態の如何によらず、ハンドセット型、ハンズフリー型双方の通話が可能な折り畳み式またはスライド式の携帯端末を提供する。【解決手段】通話相手からの受話用の音声を含め各種の音声を出力する二つのスピーカ音孔８、９を、上部筐体部５のディスプレイ１１の実装面と同一の面上で、かつ、上部筐体部５の長手方向である上辺と下辺との近傍に配置するとともに、通話相手への送話用のマイク音孔４を下部筐体部６の下側面に配置する。折り畳み式の携帯端末の場合、上部筐体部５をヒンジ７を介して回転させ、スピーカ音孔８、９が筐体の外側に露出された状態のまま下部筐体部６上に重ねて閉じる。スピーカ音孔８、９のいずれかが通話相手からの音声を受話するレシーバとして機能させ、受話専用のレシーバを削除する。【選択図】        図１
2010103763.tif 000002
【特許請求の範囲】
【請求項１】
ディスプレイが実装されている上部筐体部と操作キーが実装されている下部筐体部とを、任意の方向に回動自在なヒンジを介して開閉可能な状態で連結した筐体構造からなる携帯端末において、通話相手からの受話用の音声を含め各種の音声を出力することが可能な二つのスピーカのスピーカ音孔を、前記上部筐体部の前記ディスプレイの実装面と同一の面上であって、前記上部筐体部の長手方向である上辺と下辺との近傍に配置するとともに、通話相手への送話用のマイクのマイク音孔を、前記下部筐体部の下側面に配置することを特徴とする携帯端末。
【請求項２】
前記上部筐体部を前記下部筐体部上に重ねて閉じた状態に設定する際に、前記上部筐体部を、前記ヒンジを介して回転させて、前記ディスプレイの実装面と同一の面上に配置されている前記スピーカ音孔が筐体の外側に露出されている状態のまま、前記下部筐体部上に重ねることを特徴とする請求項１に記載の携帯端末。
【請求項３】
二つの前記スピーカ音孔のスピーカの少なくともいずれかが、通話相手からの音声を受話するレシーバとして機能することにより、通話相手からの受話のみに専用のレシーバを備えていないことを特徴とする請求項１または２に記載の携帯端末。
【請求項４】
通話中の状態にある場合、二つの前記スピーカ音孔のスピーカのうち、前記上部筐体部の上辺または下辺の近傍に位置するいずれか一方のスピーカ音孔のスピーカが、通話相手からの音声を受話するレシーバとして機能し、他方のスピーカ音孔のスピーカが、着信音を含む各種音声を出力するスピーカとして機能することを特徴とする請求項１ないし３のいずれかに記載の携帯端末。
【請求項５】
ディスプレイが実装されている上部筐体部と操作キーが実装されている下部筐体部とを、直線的にスライド移動するスライド機構を介してスライド移動可能な状態で連結した筐体構造からなる携帯端末において、通話相手からの受話用の音声を含め各種の音声を出力することが可能な二つのスピーカのスピーカ音孔を、前記上部筐体部の前記ディスプレイの実装面と同一の面上であって、前記上部筐体部の長手方向である上辺と下辺との近傍に配置するとともに、通話相手への送話用のマイクのマイク音孔を、前記下部筐体部の下側面に配置することを特徴とする携帯端末。
【請求項６】
二つの前記スピーカ音孔のスピーカの少なくともいずれかが、通話相手からの音声を受話するレシーバとして機能することにより、通話相手からの受話のみに専用のレシーバを備えていないことを特徴とする請求項５に記載の携帯端末。
【請求項７】
通話中の状態にある場合、二つの前記スピーカ音孔のスピーカのうち、前記上部筐体部の上辺の近傍に位置するスピーカ音孔のスピーカが、通話相手からの音声を受話するレシーバとして機能し、前記上部筐体部の下辺の近傍に位置するスピーカ音孔のスピーカが、着信音を含む各種音声を出力するスピーカとして機能することを特徴とする請求項５または６に記載の携帯端末。
【請求項８】
ディスプレイが実装されている上部筐体部と操作キーが実装されている下部筐体部とを、直線的にスライド移動するスライド機構を介してスライド移動可能な状態で連結した筐体構造からなる携帯端末において、通話相手からの受話用の音声を含め各種の音声を出力することが可能なスピーカのスピーカ音孔を、前記上部筐体部の前記ディスプレイの実装面と同一の面上であって、前記上部筐体部の長手方向である上辺の近傍に配置するとともに、通話相手への送話用のマイクのマイク音孔を、前記下部筐体部の下側面に配置することを特徴とする携帯端末。
【請求項９】
前記上部筐体部の上辺の近傍に位置するスピーカ音孔のスピーカが、通話相手からの音声を受話するレシーバとして機能するとともに、着信音を含む各種音声を出力するスピーカとして機能することを特徴とする請求項６に記載の携帯端末。
【請求項１０】
前記スピーカ音孔のスピーカが、通話相手からの音声を受話するレシーバとして機能することにより、通話相手からの受話のみに専用のレシーバを備えていないことを特徴とする請求項８または９に記載の携帯端末。
【請求項１１】
ディスプレイが実装されている上部筐体部と操作キーが実装されている下部筐体部とを、任意の方向に回動自在なヒンジを介して開閉可能な状態で連結した筐体構造からなる携帯端末に、通話相手からの受話用の音声を含め各種音声を出力することが可能なスピーカを実装するための携帯端末スピーカ実装方法であって、二つの前記スピーカのスピーカ音孔を、前記上部筐体部の前記ディスプレイの実装面と同一の面上であって、前記上部筐体部の長手方向である上辺と下辺との近傍に配置することを特徴とする携帯端末スピーカ実装方法。
【請求項１２】
ディスプレイが実装されている上部筐体部と操作キーが実装されている下部筐体部とを、直線的にスライド移動するスライド機構を介してスライド移動可能な状態で連結した筐体構造からなる携帯端末に、通話相手からの受話用の音声を含め各種音声を出力することが可能なスピーカを実装するための携帯端末スピーカ実装方法であって、一つまたは二つの前記スピーカのスピーカ音孔を、前記上部筐体部の前記ディスプレイの実装面と同一の面上であって、前記上部筐体部の長手方向である上辺の近傍、または、前記上部筐体部の長手方向である上辺と下辺との近傍に配置することを特徴とする携帯端末スピーカ実装方法。
【発明の詳細な説明】
【技術分野】
【０００１】
本発明は、携帯端末および携帯端末スピーカ実装方法に関する。
【背景技術】
【０００２】
近年、折り畳み式の携帯電話端末は、小型化、薄型化が進展するとともに、多機能化も進んでおり、例えば着信通知用の着信メロディ等のステレオ音声化など臨場感に富む良質な音場を形成するものが多数登場してきている。
【０００３】
図４は、例えば特許文献１の特開２００３−１５２８３７号公報「携帯電話機」に記載されている従来の折り畳み式の携帯電話端末の筐体構造におけるスピーカ、レシーバ、マイクの実装例を示す模式図であり、図４（Ａ）は、開いた状態におけるスピーカ、レシーバ、マイクの実装構造を示し、図４（Ｂ）は、閉じた状態におけるスピーカ、レシーバ、マイクの実装構造を示している。
【０００４】
図４に示すように、従来の折り畳み式の携帯電話端末は、ヒンジ７ａを境として、ディスプレイ１１が実装されている上部筐体部５と、操作キー１２が実装されている下部筐体部６との二つの筐体部に大きく分かれており、図４（Ａ）に示すように、ディスプレイ１１が実装されている上部筐体部５をヒンジ７ａを中心にして下部筐体部６から離間させるように回動させて開くことにより、ハンドセット状態で、任意に指定した通話相手との通話が可能であって、かつ、ディスプレイ１１の表示内容の視認や操作キー１２の操作が可能な形状Ａの状態になり、一方、図４（Ｂ）に示すように、ディスプレイ１１が実装されている上部筐体部５をヒンジ７ａを中心にして下部筐体部６上に折り畳むように回動させて閉じることにより、携行用やハンズフリー通話用の形状Ｂの状態に移行することができる。
【０００５】
なお、図４において、符号１は、内蔵されているレシーバのレシーバ音孔であり、上部筐体部５の内面側つまりディスプレイ１１の実装面と同じ面に配置されており、該レシーバ音孔１の直下(筐体内部)には、受話用のレシーバ（図示していない）が実装され、通話相手からの信号を受話することができる。符号２、３は、ステレオ用の二つのスピーカの音孔であり、ステレオ効果を得るために、それぞれ、上部筐体部５の左右の側面に配置されており、該スピーカ音孔２、３それぞれの直下(筐体内部)には、ステレオ用のスピーカ（図示していない）が実装され、ステレオ音声を出力することができる。符号４は、内蔵されているマイクのマイク音孔であり、下部筐体部６の下側面に配置されており、該マイク音孔４の直下(筐体内部)には、通話用のマイク（図示していない）が実装され、通話相手に対する送話を行うことができる。
【０００６】
図４（Ａ）の形状Ａのような開いた状態においては、通話しようとするユーザは、携帯電話端末の本体部分である下部筐体部６を把持して、上部筐体部５の上側に配置されているレシーバ音孔１を耳元近傍に持ってくると、下部筐体部６の下側面に配置されているマイク音孔４が、丁度、当該ユーザの口元近傍に位置することになり、ハンドセット状態で、通話相手との通話信号の送受信が可能になるとともに、スピーカ音孔２、３から着信音等のステレオ音声を聞くことも可能となる。
【０００７】
一方、図４（Ｂ）の形状Ｂのような閉じた状態においては、例えば机等の上に置いたハンズフリーの状態で、下部筐体部６の下側面に配置されているマイク音孔４と上部筐体部５の左右の側面に配置されているスピーカ音孔２、３のいずれか一方または双方とを用いて送受話を行うことが可能になるとともに、スピーカ音孔２、３から着信音等を聞くことも可能となる。
【特許文献１】特開２００３−１５２８３７号公報（第２−３頁）
【発明の開示】
【発明が解決しようとする課題】
【０００８】
しかしながら、図４に示すような従来の携帯電話端末の筐体構造においては、スピーカ音孔２、３が、上部筐体部５の短辺側である左右の側面に配置されているため、次のような課題が生じている。
【０００９】
（課題１）左右の二つのスピーカ間の間隔が狭く、左右の音声の分離性に問題があるため、ステレオ再生性能の向上を図ることが困難である。
【００１０】
（課題２）スピーカ音孔２、３の向きが、上部筐体部５の左右側面の方向つまりディスプレイ１１の画面と平行な方向に向いていて、二つのスピーカの鳴動音が、ディスプレイ１１の画面に対して、垂直な方向ではなく、側面方向つまり平行な方向に放射されるため、ディスプレイ１１の画面から音が出ているような迫力、臨場感を演出することができない。また、ディスプレイ１１と対向して画面を見ているユーザにとって、スピーカ音孔２、３から出力される音量が低下して聞こえることになる。
【００１１】
（課題３）また、スピーカ音孔２、３を受話用のレシーバ音孔１と兼用可能にしても、図４（Ａ）のような開いた状態でハンドセット通話を行う際に、上部筐体部５の左右側面に配置されたスピーカ音孔２、３に耳を当てて通話を行うことは、安定性やユーザビリティの観点から現実的ではない。したがって、二つのスピーカとレシーバとの兼用は困難となるため、ステレオ音声出力用のスピーカ音孔２、３のスピーカのみならず、受話用のレシーバ音孔１のレシーバをも別途備えた音声出力手段の実装が不可避となる。
【００１２】
（課題４）また、受話用のレシーバ音孔１が、上部筐体部５の内面側に配置されているため、図４（Ｂ）のような閉じた状態では、レシーバ音孔１は、上部筐体部５と下部筐体部６との間に挟みこまれて、筐体の外部に露出することなく、隠れてしまうので、ハンドセット型の通話に使用することができなく、閉じた状態ではハンドセット型の通話を行うことが困難である。
【００１３】
本発明は、かくのごとき問題に鑑みてなされたものであり、折り畳み式またはスライド式の携帯端末であっても、臨場感がある良質のステレオ音声を出力することを可能とするとともに、受話用のレシーバと各種の音声出力用のスピーカとの共用を可能とし、かつ、開閉状態、スライド状態の如何によらず、ハンドセット型、ハンズフリー型の通話を可能にする携帯端末および携帯端末スピーカ実装方法を提供することを、その目的としている。
【課題を解決するための手段】
【００１４】
前述の課題を解決するため、本発明による携帯端末および携帯端末スピーカ実装方法は、次のような特徴的な構成を採用している。
【００１５】
（１）ディスプレイが実装されている上部筐体部と操作キーが実装されている下部筐体部とを、任意の方向に回動自在なヒンジを介して開閉可能な状態で連結した筐体構造からなる携帯端末において、通話相手からの受話用の音声を含め各種の音声を出力することが可能な二つのスピーカのスピーカ音孔を、前記上部筐体部の前記ディスプレイの実装面と同一の面上であって、前記上部筐体部の長手方向である上辺と下辺との近傍に配置するとともに、通話相手への送話用のマイクのマイク音孔を、前記下部筐体部の下側面に配置する携帯端末。
【発明の効果】
【００１６】
本発明の携帯端末および携帯端末スピーカ実装方法によれば、以下のような効果を得ることができる。
【００１７】
第１の効果は、一つ以上のスピーカ音孔をディスプレイ画面と同一面上に実装することにより、スピーカ鳴動音が、ディスプレイ画面から出ているような臨場感を演出することができる点にある。
【００１８】
第２の効果は、着信音等を鳴動させる一つ以上のスピーカ音孔およびスピーカを受話用のレシーバ機能と兼用可能とするとともに、二つの筐体部の開閉状態、スライド移動状態など２つ以上の形状の如何を問わず、使用時においては、一つ以上の該スピーカ音孔を筐体の外側に露出させることを可能とすることにより、ハンドセット通話、ハンズフリー通話のいずれの通話であっても行うことができる点にある。
【００１９】
第３の効果は、一つ以上のスピーカ音孔およびスピーカを備えることにより、ステレオもしくは多チャンネルのスピーカ再生性能を向上させることができる点にある。
【００２０】
第４の効果は、一つ以上のスピーカ音孔（スピーカ）を備えることにより、通話中に着信があって、着信音を鳴動させる際に、当該通話で受話用のレシーバ機能として使用しているスピーカ音孔（スピーカ）以外のスピーカ音孔（スピーカ）を着信音鳴動用のスピーカ音孔（スピーカ）として使用することが可能であり、通話中の状態であっても、常時、適切な音量で、着信音の鳴動と通話の受話とを両立させることができる点にある。
【発明を実施するための最良の形態】
【００２１】
以下、本発明による携帯端末および携帯端末スピーカ実装方法の好適な実施例について添付図を参照して説明する。なお、本発明による携帯端末は、携帯電話機、ＰＨＳ端末（Personal Handy-Phone System）、携帯情報端末（ＰＤＡ：Personal Digital Assistants）、携帯ノートＰＣ（Personal Computer）など、電話機能を有する折り畳み式またはスライド式の端末であれば、如何なる携帯端末であっても構わない。
【００２２】
（本発明の特徴）
本発明の実施形態に説明に先立って、本発明の特徴についてその概要をまず説明する。本発明は、折り畳み式またはスライド式の携帯端末に関するものであり、回動自在なヒンジ、もしくは、直線的なスライド移動が可能なスライド機構を境にして、ディスプレイを実装する上部筐体部と操作キーを実装する下部筐体部との二つの筐体部に分離し、かつ、該ヒンジもしくは該スライド機構を介して片方の筐体部を他方の筐体部に対して自在に回動もしくは直線的にスライド移動させることが可能な筐体構造において、下記の４点の音響特性を良好に実現するために、着信音等の音声を出力することが可能な一つ以上のスピーカ音孔をディスプレイ画面と同一面上に搭載するとともに、該スピーカ音孔を、二つの筐体部の開閉状態、スライド移動状態の如何によらず、各種音声出力用の機能の他に、受話用のレシーバ音孔の機能をも兼用させることを可能としていることを主要な特徴としている。
【００２３】
（１）一つ以上のスピーカ音孔およびスピーカを受話用のレシーバ機能と兼用可能とするとともに、二つの筐体部の開閉状態、スライド移動状態などの如何に関わらず、使用時においては、一つ以上の該スピーカ音孔を筐体の外側に常に露出することを可能とすることにより、ハンドセット通話、ハンズフリー通話のいずれの通話も可能とする。
【００２４】
（２）一つ以上のスピーカ音孔およびスピーカを備えることにより、ステレオもしくは多チャンネルのスピーカ再生性能を向上させることができる。
【００２５】
（３）一つ以上のスピーカ音孔をディスプレイ画面と同一面上に搭載することにより、スピーカ鳴動音が、ディスプレイ画面から出ているような臨場感を演出することができる。
【００２６】
（４）一つ以上のスピーカ音孔（スピーカ）を備えることにより、通話中に着信があって、着信音を鳴動させる際に、当該通話で受話用のレシーバ機能として使用しているスピーカ音孔（スピーカ）以外のスピーカ音孔（スピーカ）を着信音鳴動用のスピーカ音孔（スピーカ）として使用することが可能であり、通話中の状態であっても、常時、適切な音量で、着信音の鳴動と通話の受話とを両立させることができる。
【００２７】
つまり、本発明は、二つ以上の複数の筐体部に分離して構成され、ヒンジやスライド機構を利用して、端末全体として、一つ以上の筐体部の回動やスライド移動等の複数の形状変化が可能な折り畳み式またはスライド式の携帯電話端末において、一つ以上のスピーカ音孔をディスプレイ画面と同一面に搭載し、かつ、該スピーカ音孔を受話用のレシーバ音孔としても兼用することを可能としている点を主要な特徴としている。
【００２８】
（本発明の実施例）
次に、本発明の実施例について説明する。図１は、本発明による折り畳み式の携帯端末の筐体構造におけるスピーカ、レシーバ、マイクの実装例を示す模式図であり、回動自在な回転ヒンジ７を介して、ディスプレイ１１が実装されている上部筐体部５と操作キー１２が実装されている下部筐体部６との二つの筐体部が回動自在な形態で連結されている場合を示しており、図１（Ａ）は、開いた状態におけるスピーカ、レシーバ、マイクの実装構造を形状Ｃとして示し、図１（Ｂ）は、閉じた状態におけるスピーカ、レシーバ、マイクの実装構造を形状Ｄとして示している。
【００２９】
図１の筐体構造においては、回転ヒンジ７は、図４のヒンジ７ａとは異なり、回転軸が固定されておらず、上部筐体部５を下部筐体部６に対して任意の方向に自在に回動させることが可能である。つまり、図１（Ａ）に示すように、図４（Ａ）の形状Ａと同様に、ディスプレイ１１が実装されている上部筐体部５を回転ヒンジ７を中心にして下部筐体部６から離間させるように回動させて開くことにより、例えばハンドセット状態で任意に指定した通話相手との通話が可能であって、かつ、ディスプレイ１１の表示内容の視認や操作キー１２の操作が可能な形状Ｃの状態に設定することができる。一方、図１（Ｂ）に示すように、図４（Ｂ）の形状Ｂとは異なり、ディスプレイ１１が実装されている上部筐体部５を回転ヒンジ７を中心にして上部筐体部５の左右方向に回転させて、ディスプレイ１１の画面を筐体の外部に露出させた状態のまま、下部筐体部６上に移動させ、下部筐体部６上に重ね合わせることにより、ハンドセット通話用やハンズフリー通話用の形状Ｄの状態に移行することができる。また、図示していないが、ディスプレイ１１の画面を隠すように回転ヒンジ７を中心にして上部筐体部５を前後方向に回動させて、下部筐体部６上に移動させ、下部筐体部６上に重ね合わせることにより、使用していない状態または携行中の状態に移行することもできる。
【００３０】
また、図１の筐体構造においては、図４の筐体構造とは異なり、ステレオ音声用の二つのスピーカ音孔８、９は、ディスプレイ１１が実装されている上部筐体部５の側面ではなく、上部筐体部５に実装されているディスプレイ１１の実装面と同一の面上に実装され、該スピーカ音孔８、９それぞれの直下(筐体内部)には、ステレオ用のスピーカ（図示していない）が実装されている。また、スピーカ音孔８、９は、上部筐体部５の長手方向である上辺、下辺それぞれの近傍の上下の位置に配置されている。この結果、ディスプレイ１１の画面から音声が飛び出してくるような臨場感を有するステレオ音声を出力することができるとともに、上部筐体部５の長手方向に配置することによって、二つのスピーカ音孔８、９間の距離を図４の場合よりも離すことが可能であり、両者の音声の分離性を向上させ、より良質のステレオ音声を得ることができる。
【００３１】
また、図１の筐体構造においては、図４の筐体構造とは異なり、二つのスピーカ音孔８、９は、受話用のレシーバ音孔と兼用することが可能な位置に配置されており、図１（Ａ）の開いた状態の形状Ｃの状態にある場合においてハンドセット状態で通話を行おうとする場合は、二つのスピーカ音孔８、９およびスピーカのうち、上部筐体部５の上辺側に配置されているスピーカ音孔８（スピーカ）が、受話用のレシーバ音孔（レシーバ）として機能する。一方、上部筐体部５を回転させて図１（Ｂ）の閉じた状態の形状Ｄの状態にある場合においてハンドセット状態で通話を行おうとする場合は、二つのスピーカ音孔８、９およびスピーカのうち、上部筐体部５の下辺側（図１（Ｂ）のように回転させた形状Ｄの状態では上側に移動している）に配置されているスピーカ音孔９（スピーカ）が、受話用のレシーバ音孔（レシーバ）として機能する。この結果、携帯端末の開閉状態の如何によらず、筐体の外部に露出している二つのスピーカ音孔８、９（直下のスピーカ）のいずれかが、受話用のレシーバ音孔（レシーバ）として機能することが可能であり、受話機能専用のレシーバ音孔およびレシーバを削除することが可能となる。
【００３２】
なお、図１の筐体構造において、内蔵されているマイクのマイク音孔４は、図４の筐体構造と同様、下部筐体部６の下側面に配置されており、該マイク音孔４の直下(筐体内部)には、通話用のマイク（図示していない）が実装され、通話相手に対する送話を行うことができる。
【００３３】
つまり、図１（Ａ）の形状Ｃのような開いた状態においては、通話しようとするユーザは、携帯端末の本体部分である下部筐体部６を把持して、上部筐体部５の上辺側に配置されているスピーカ音孔８を耳元近傍に持ってくると、下部筐体部６の下側面に配置されているマイク音孔４が、丁度、当該ユーザの口元近傍に位置することになり、ハンドセット状態で、通話相手との通話信号の送受信が可能になるとともに、スピーカ音孔８、９から着信音等のステレオ音声を聞くことも可能となる。
【００３４】
一方、図１（Ｂ）の形状Ｄのような閉じた状態において、例えば机等の上に置いたハンズフリーの状態では、下部筐体部６の下側面に配置されているマイク音孔４と上部筐体部５の上辺側に配置されているスピーカ音孔８または下辺側（図１（Ｂ）の状態では上側に移動している）に配置されているスピーカ音孔９を用いて送受話を行うことが可能であるとともに、スピーカ音孔８、９の双方またはいずれか一方から着信音等を聞くことができる。また、図１（Ｂ）の形状Ｄのような閉じた状態であっても、通話内容をより明確に聞き分けることができるように、または、私的な通話を行うために、携帯端末を把持して、耳元にスピーカ音孔を持ってきて、ハンドセット通話を行おうとする場合、下部筐体部６の下側面に配置されているマイク音孔４と上部筐体部５の下辺側（図１（Ｂ）の状態では上側に移動している）に配置されているスピーカ音孔９を用いて送受話を行うことも可能である。
【００３５】
以上のように、図１に示す実施例においては、二つのスピーカ音孔８、９のそれぞれを、携帯端末の長手方向一杯に離して実装することが可能であり、ステレオ再生性能の向上を図ることができ、［発明が解決しようとする課題］において説明した課題１を解決することができる。
【００３６】
また、ディスプレイ１１と同一面内にスピーカ音孔８、９が配置されており、スピーカ音孔８、９からの鳴動音が、ディスプレイ１１の画面に垂直な方向とされて、ユーザ側に放射されるため、ディスプレイ１１の画面に対向して画面を見ているユーザ側では、鳴動音が大きく聞こえ、かつ、あたかもディスプレイ１１の画面から音声が飛び出してくるような迫力、臨場感を演出することができるので、［発明が解決しようとする課題］において説明した課題２を解決することができる。
【００３７】
さらに、スピーカ音孔８、９がディスプレイ１１と同一面内に配置されており、かつ、図１（Ａ）の開いた状態の形状Ｃの状態にある場合は、スピーカ音孔８およびその直下に実装されているスピーカが、図４の従来技術における受話用のレシーバ音孔１および直下のレシーバと同様な位置に実装することができるため、ハンドセット通話時において、スピーカ音孔８を受話用のレシーバ音孔１としても兼用することができ、受話専用のレシーバ音孔および直下のレシーバを削除することが可能であり、［発明が解決しようとする課題］において説明した課題３を解決することができる。
【００３８】
加えて、上部筐体部５を回転させて、下部筐体部６と重ね合わせた図１（Ｂ）の形状Ｄの閉じた状態においては、スピーカ音孔８、９および直下のスピーカの双方またはいずれか一方を、あるいは、スピーカ音孔９および直下のスピーカを受話用のレシーバ音孔および直下のレシーバとして使用することができるため、受話専用のレシーバ音孔および直下のレシーバを削除することが可能であり、かつ、閉じた状態であっても、ハンズフリー通話のみならずハンドセット通話を行うことも可能であり、［発明が解決しようとする課題］において説明した課題４を解決することができる。さらには、通話時の着信音鳴動については、スピーカ音孔８、９いずれか一方を通話時に受話用として使用し、他方を着信音鳴動用として使用することも可能であり、通話の受話用と着信音鳴動用との双方の用途に対しても、なんら問題なく、両立させることができる。
【００３９】
（他の実施例）
次に、本発明による携帯端末の図１とは異なる筐体構造について図２を用いて説明する。図２は、本発明による携帯端末の図１とは異なる筐体構造におけるスピーカ、レシーバ、マイク実装例を示す模式図であり、図１の場合とは異なり、上部筐体部５と下部筐体部６とは、回動自在な回転ヒンジを介してではなく、スライド機構１３を介して連結されており、該スライド機構１３によって上部筐体部５が下部筐体部６上を直線的にスライド移動するというスライド式の携帯端末における筐体構造を示している。なお、図２に示すスライド式の携帯端末の筐体構造においては、マイク音孔４およびスピーカ音孔８、９の実装位置は、図１の折り畳み式の携帯端末と同様であり、マイク音孔４は、下部筐体部６の下側面に、また、二つのスピーカ音孔８、９は、上部筐体部５の上下の長手方向である上辺、下辺の近傍にそれぞれ実装されているが、上部筐体部５に実装されているディスプレイ１１は、使用していない状態では内側に隠すことができる図１の折り畳み式の携帯端末とは異なり、スライド移動の有無によらず、常に露出した状態にある。
【００４０】
図２の筐体構造においては、下部筐体部６の操作キー１２を露出させるように上部筐体部５を上方向に直線的に下部筐体部６上をスライド移動させることにより、図２（Ａ）に示すように、下部筐体部６に実装されている操作キー１２を操作可能な開いた状態になり、ハンドセット状態で任意に指定した通話相手との通話が可能であって、かつ、ディスプレイ１１の表示内容の視認や操作キー１２の操作が可能な形状Ｅの状態に設定することが可能である。一方、図２（Ｂ）に示すように、ディスプレイ１１が実装されている上部筐体部５を下方向に直線的に下部筐体部６上をスライド移動させ、下部筐体部６上に重ね合わせることにより、携行用やハンズフリー通話用や場合によってはハンドセット通話用の形状Ｆの状態に移行することができる。
【００４１】
ここで、図２の筐体構造においても、図１の折り畳み式の携帯端末の場合と同様、ステレオ音声用の二つのスピーカ音孔８、９は、ディスプレイ１１が実装されている上部筐体部５の側面ではなく、上部筐体部５に実装されているディスプレイ１１の実装面と同一の面上に実装され、該スピーカ音孔８、９それぞれの直下(筐体内部)には、ステレオ用のスピーカ（図示していない）が実装されており、かつ、スピーカ音孔８、９は、上部筐体部５の長手方向である上辺、下辺それぞれの近傍の上下の位置に配置されている。この結果、ディスプレイ１１の画面から音声が飛び出してくるような臨場感を有するステレオ音声を出力することができるとともに、上部筐体部５の長手方向に配置することによって、二つのスピーカ音孔８、９間の距離を図４の場合よりも離すことが可能であり、両者の音声の分離性を向上させ、より良質のステレオ音声を得ることができる。
【００４２】
また、図２の筐体構造においても、図１の折り畳み式の携帯端末の場合と同様、二つのスピーカ音孔８、９は、受話用のレシーバ音孔と兼用することが可能な位置に配置されている。ただし、図２（Ａ）の開いた状態の形状Ｅの状態にある場合においてハンドセット状態で通話を行おうとする場合は、図１の折り畳み式の携帯端末の場合と同様、二つのスピーカ音孔８、９のうち、上部筐体部５の上辺側に配置されているスピーカ音孔８が、受話用のレシーバ音孔として機能するが、図２（Ｂ）の閉じた状態の形状Ｆの状態にある場合においてハンドセット状態で通話を行おうとする場合は、図１の折り畳み式の携帯端末の場合とは異なり、図２（Ａ）の開いた状態の形状Ｅの状態にある場合と同様、上部筐体部５の上辺側に配置されているスピーカ音孔８が、受話用のレシーバ音孔として機能する。また、図２（Ｂ）の閉じた状態の形状Ｆの状態にある場合においてハンズフリー状態で通話を行おうとする場合は、図１の折り畳み式の携帯端末の場合と同様、二つのスピーカ音孔８、９のいずれでも、受話用のレシーバ音孔として機能することができる。この結果、携帯端末の開閉状態の如何によらず、また、ハンドセット通話、ハンズフリー通話の如何によらず、筐体の外部に常に露出しているスピーカ音孔８が、受話用のレシーバ音孔として機能することができる。
【００４３】
つまり、図２に示す実施例においても、図１の場合とまったく同様の効果を得ることができ、［発明が解決しようとする課題］において説明した課題１ないし課題４のいずれについても解決することができる。
【００４４】
次に、本発明による携帯端末の図１、図２とはさらに異なる筐体構造について図３を用いて説明する。図３は、図２のスライド式の携帯端末の筐体構造におけるスピーカ、レシーバ、マイクの図２とは異なる実装例を示す模式図であり、図２の場合と同様、上部筐体部５と下部筐体部６とは、回動自在な回転ヒンジを介してではなく、スライド機構１３を介して連結されており、該スライド機構１３によって上部筐体部５が下部筐体部６上を直線的にスライド移動するというスライド式の携帯端末における筐体構造を示している。ただし、図２の場合とは異なり、上部筐体部５に実装されるスピーカ音孔は、二つではなく、スピーカ音孔８として上部筐体部５の長手方向に相当する上辺側の近傍にのみ実装されている。
【００４５】
図３に示す実施例においては、図１、図２の場合とは異なり、一つのスピーカ音孔８しか実装していないため、ステレオ音声を出力することができなくなるとともに、通話中に通話の受話用とは独立に着信音を鳴動させることができなくなるというマイナス面はあるものの、携帯端末の小型化・薄型化をより一層図ることができるとともに、［発明が解決しようとする課題］において説明した課題２ないし課題４のいずれについても解決することができる。
【００４６】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施形態は、課題を解決するための手段における構成（１）に加えて次のような構成として表現できる。
(２)前記上部筐体部を前記下部筐体部上に重ねて閉じた状態に設定する際に、前記上部筐体部を、前記ヒンジを介して回転させて、前記ディスプレイの実装面と同一の面上に配置されている前記スピーカ音孔が筐体の外側に露出されている状態のまま、前記下部筐体部上に重ねる上記（１）の携帯端末。
(３)二つの前記スピーカ音孔のスピーカの少なくともいずれかが、通話相手からの音声を受話するレシーバとして機能することにより、通話相手からの受話のみに専用のレシーバを備えていない上記（１）または（２）の携帯端末。
(４)通話中の状態にある場合、二つの前記スピーカ音孔のスピーカのうち、前記上部筐体部の上辺または下辺の近傍に位置するいずれか一方のスピーカ音孔のスピーカが、通話相手からの音声を受話するレシーバとして機能し、他方のスピーカ音孔のスピーカが、着信音を含む各種音声を出力するスピーカとして機能する上記（１）ないし（３）のいずれかの携帯端末。
(５）ディスプレイが実装されている上部筐体部と操作キーが実装されている下部筐体部とを、直線的にスライド移動するスライド機構を介してスライド移動可能な状態で連結した筐体構造からなる携帯端末において、通話相手からの受話用の音声を含め各種の音声を出力することが可能な二つのスピーカのスピーカ音孔を、前記上部筐体部の前記ディスプレイの実装面と同一の面上であって、前記上部筐体部の長手方向である上辺と下辺との近傍に配置するとともに、通話相手への送話用のマイクのマイク音孔を、前記下部筐体部の下側面に配置する携帯端末。
(６)二つの前記スピーカ音孔のスピーカの少なくともいずれかが、通話相手からの音声を受話するレシーバとして機能することにより、通話相手からの受話のみに専用のレシーバを備えていない上記（５）の携帯端末。
(７)通話中の状態にある場合、二つの前記スピーカ音孔のスピーカのうち、前記上部筐体部の上辺の近傍に位置するスピーカ音孔のスピーカが、通話相手からの音声を受話するレシーバとして機能し、前記上部筐体部の下辺の近傍に位置するスピーカ音孔のスピーカが、着信音を含む各種音声を出力するスピーカとして機能する上記（５）または（６）の携帯端末。
(８）ディスプレイが実装されている上部筐体部と操作キーが実装されている下部筐体部とを、直線的にスライド移動するスライド機構を介してスライド移動可能な状態で連結した筐体構造からなる携帯端末において、通話相手からの受話用の音声を含め各種の音声を出力することが可能なスピーカのスピーカ音孔を、前記上部筐体部の前記ディスプレイの実装面と同一の面上であって、前記上部筐体部の長手方向である上辺の近傍に配置するとともに、通話相手への送話用のマイクのマイク音孔を、前記下部筐体部の下側面に配置する携帯端末。
(９)前記上部筐体部の上辺の近傍に位置するスピーカ音孔のスピーカが、通話相手からの音声を受話するレシーバとして機能するとともに、着信音を含む各種音声を出力するスピーカとして機能する上記（６）の携帯端末。
(１０)前記スピーカ音孔のスピーカが、通話相手からの音声を受話するレシーバとして機能することにより、通話相手からの受話のみに専用のレシーバを備えていない上記（８）または（９）の携帯端末。
(１１）ディスプレイが実装されている上部筐体部と操作キーが実装されている下部筐体部とを、任意の方向に回動自在なヒンジを介して開閉可能な状態で連結した筐体構造からなる携帯端末に、通話相手からの受話用の音声を含め各種音声を出力することが可能なスピーカを実装するための携帯端末スピーカ実装方法であって、二つの前記スピーカのスピーカ音孔を、前記上部筐体部の前記ディスプレイの実装面と同一の面上であって、前記上部筐体部の長手方向である上辺と下辺との近傍に配置する携帯端末スピーカ実装方法。
(１２）ディスプレイが実装されている上部筐体部と操作キーが実装されている下部筐体部とを、直線的にスライド移動するスライド機構を介してスライド移動可能な状態で連結した筐体構造からなる携帯端末に、通話相手からの受話用の音声を含め各種音声を出力することが可能なスピーカを実装するための携帯端末スピーカ実装方法であって、一つまたは二つの前記スピーカのスピーカ音孔を、前記上部筐体部の前記ディスプレイの実装面と同一の面上であって、前記上部筐体部の長手方向である上辺の近傍、または、前記上部筐体部の長手方向である上辺と下辺との近傍に配置する携帯端末スピーカ実装方法。
【図面の簡単な説明】
【００４７】
【図１】本発明による折り畳み式の携帯端末の筐体構造におけるスピーカ、レシーバ、マイクの実装例を示す模式図である。
【図２】本発明による携帯端末の図１とは異なる筐体構造におけるスピーカ、レシーバ、マイク実装例を示す模式図である。
【図３】図２のスライド式の携帯端末の筐体構造におけるスピーカ、レシーバ、マイクの図２とは異なる実装例を示す模式図である。
【図４】従来の折り畳み式の携帯電話端末の筐体構造におけるスピーカ、レシーバ、マイクの実装例を示す模式図である。
【符号の説明】
【００４８】
１        レシーバ音孔
２、３    スピーカ音孔
４        マイク音孔
５        上部筐体部
６        下部筐体部
７        回転ヒンジ
７ａ      ヒンジ
１１      ディスプレイ
１２      操作キー
１３      スライド機構
【図１】
2010103763.tif 000003
【図２】
2010103763.tif 000004
【図３】
2010103763.tif 000005
【図４】
2010103763.tif 000006